(57)【要約】  本発明は携帯機器を接続するシステム（１）に関する。システムは、平面領域（４）を形成するベース部分（３）と、クレードル（５）とを含み、クレードルは、携帯機器を接続するために上向きに延びるコネクタ（７）を有する第１の部分（６）と、携帯機器がコネクタ内に接続されるときに携帯機器を支持する第２の部分（８）とを含む。クレードル（５）は、第１の部分（６）が平面領域（４）と同じ平面内に延在する第１のクレードル位置と、第２の部分（８）が平面領域（４）と同じ平面内に延在する第２のクレードル位置とを取るために、回転可能な方法においてベース部分（３）に取り付けられる。クレードルが第１のクレードル位置にあるとき、クレードルの第１の部分は、ベース部分によって形成される平面領域と同じ平面内にあり、それはコネクタがこの特異な平面に上向きに延びることを可能にし、且つ、凹部が存在しない故に、携帯機器の幅と無関係に、あらゆる携帯機器と接続することを可能にする。その上、クレードルが第２のクレードル位置にあるとき、その第２の位置は、コネクタを隠すことを可能にするカバーとして有利に作用する。
2014515204.tif 000002
【特許請求の範囲】
【請求項１】
携帯機器を接続するシステムであって、
−  平面領域を形成するベース部分と、
−  クレードルとを含み、該クレードルは、前記携帯機器を接続するために上向きに延びるコネクタを有する第１の部分と、前記携帯機器が前記コネクタ内に接続されるときに前記携帯機器を支持する第２の部分とを含み、前記クレードルは、
−  前記第１の部分が前記平面領域と同じ平面内に延在する第１のクレードル位置と、
−  前記第２の部分が前記平面領域と同じ平面内に延在する第２のクレードル位置とを取るために、回転可能な方法において前記ベース部分に取り付けられる、
システム。
【請求項２】
前記クレードルを前記第２のクレードル位置から前記第１のクレードル位置まで回転させるバネを更に含む、請求項１に記載のシステム。
【請求項３】
前記バネは、捩りバネである、請求項２に記載のシステム。
【請求項４】
前記ベース部分に配置されるラッチ機構を更に含み、該ラッチ機構は、前記クレードルを前記第１のクレードル位置に保持するために、前記第１の部分に配置される係止システムと協働するよう構成される、請求項１に記載のシステム。
【請求項５】
前記第１の部分と前記第２の部分とは、９０度〜１２０度の範囲内の角度を形成する、請求項１に記載のシステム。
【請求項６】
前記第２の部分は、前記携帯機器が前記コネクタ内に接続されるときに前記携帯機器を支持するゴム製バンパを含む、請求項１に記載のシステム。
【請求項７】
携帯機器に記憶されるマルチメディアデータを表示する装置であって、当該装置は、前記携帯機器を当該装置に接続するために、請求項１乃至６のうちのいずれか１項に記載のシステムを含む、装置。
【発明の詳細な説明】
【技術分野】
【０００１】
本発明は携帯機器を接続するためのシステムに関し、そのようなシステムを含む装置に関する。
【０００２】
マルチメディアデータを表示するための装置の分野において本発明を使用し得る。
【背景技術】
【０００３】
現今、様々のマルチメディアデータ（例えば、音声、ビデオ、文字、図形等）を記憶するデータ記憶装置を含む様々の種類の携帯機器（例えば、携帯電話、携帯端末、カムコーダ、カメラ、ゲームコンソール等）が存在する。そのような携帯機器は比較的小さいサイズを有し、不十分な表示能力を有するので、使用者は、それらのマルチメディアデータを、より良好な再生音響システム又はより大きなスクリーンのような、より良好な表示特性をもたらす装置の上に表示する必要を感じることが多い。これを達成するために、それらの装置は接続システムを含み、接続システムは、携帯機器が接続システムに接続された後、更なる表示のために、装置へのマルチメディアデータの移転を可能にする。接続システムが見え過ぎるのを避けるために、接続システムは装置の凹部内に配置されることが多い。しかしながら、携帯機器が極めて異なる種類及び極めて異なる形状を有することを考えると、それらの接続システムと携帯装置との接続は常に可能ではない。例えば、接続システムを配置する凹部が携帯機器の幅よりも小さい幅を有する場合には、それらの接続システムと携帯装置との接続は可能ではない。
【発明の概要】
【発明が解決しようとする課題】
【０００４】
携帯機器を接続するための改良されたシステムを提案することが本発明の目的である。本発明は独立項によって定められる。従属項は有利な実施態様を定める。
【課題を解決するための手段】
【０００５】
この目的を達成するために、本発明に従ったシステムは、
−  平面領域を形成するベース部分と、
−  クレードルとを含み、クレードルは、携帯機器を接続するために上向きに延びるコネクタを有する第１の部分と、携帯機器がコネクタ内に接続されるときに携帯機器を支持する第２の部分とを含み、
クレードルは、
−  第１の部分が平面領域と同じ平面内に延在する第１のクレードル位置と、
−  第２の部分が平面領域と同じ平面内に延在する第２のクレードル位置とを取るために、回転可能な方法において前記ベース部分に取り付けられる。
【０００６】
クレードルが第１のクレードル位置にあるとき、クレードルの第１の部分は、ベース部分によって形成される平面領域と同じ平面内にあり、それはコネクタがこの特異な平面に上向きに延びることを可能にし、且つ、携帯機器の幅と無関係に、あらゆる携帯機器と接続することを可能にする。何故ならば、従来技術と異なり、凹部が存在しないからである。その上、クレードルが第２のクレードル位置にあるとき、その第２の位置は、コネクタを隠すことを可能にするカバーとして有利に作用する。
【０００７】
本発明は、携帯機器に記憶されるマルチメディアデータを表示する装置にも関し、この装置は上述のような携帯機器を接続するシステムを含む。
【０００８】
本発明の詳細な説明及び他の特徴は以下に与えられる。
【０００９】
添付の図面との関係で考慮され且つ以下に記載される実施態様を参照して本発明の特別な特徴を説明する。図面において、同一の部分又は下位ステップは同様に示される。
【図面の簡単な説明】
【００１０】
【図１Ａ】携帯機器を接続するための本発明に従ったシステムを示す斜視図である。
【図１Ｂ】携帯機器を接続するための本発明に従ったシステムを示す斜視図である。
【図２】携帯機器に記憶されるマルチメディアデータを表示するための装置において使用されるときの本発明に従ったシステムを示す上面図、正面図、及び側面図である。
【図３】本発明に従ったシステムの一部の素子を示す分解図である。
【図４Ａ】本発明に従ったシステムを示す断面図である。
【図４Ｂ】本発明に従ったシステムを示す断面図である。
【図４Ｃ】本発明に従ったシステムを示す断面図である。
【図４Ｄ】本発明に従ったシステムを示す断面図である。
【図４Ｅ】本発明に従ったシステムを示す断面図である。
【図４Ｆ】本発明に従ったシステムを示す断面図である。
【発明を実施するための形態】
【００１１】
図１Ａ及び図１Ｂは、携帯機器を接続するための本発明に従ったシステム１の２つの異なる図面を描写している。
【００１２】
本発明に従ったシステムは、
−  平面領域４を形成するベース部分３と、
−  クレードル５とを含み、
クレードルは、携帯機器を接続するために上向きに延びるコネクタ７を有する第１の部分６と、携帯機器がコネクタ７内に接続されるときに携帯機器を支持するための第２の部分８とを含む。
【００１３】
コネクタ７は、第１の部分６によって定められる平面と比べて垂直に延びるのが好ましい。
【００１４】
クレードル５は、
−  第１の部分６が平面領域４と同じ平面内に延在する、図１Ａによって例示される、第１のクレードル位置Ｐ１と、
−  第２の部分８が平面領域４と同じ平面内に延在する、図１Ｂによって例示される、第２のクレードル位置Ｐ２とを取るよう、
回転可能な方法においてベース部分３の上に取り付けられる。
【００１５】
選択的に、本発明に従ったシステムの全ての素子を支持するために、ベース部分３を追加的な本体２に固定し得る。本体２及びベース部分３は単一の素子を形成し得ることに留意のこと。
【００１６】
図２は、携帯機器１０に記憶されるマルチメディアデータを表示するための装置９において使用されるときの本発明に従ったシステム１を描写している。
【００１７】
左上の図面は、装置９の正面側を描写し、右上の図面は、装置９の左側を描写し、左下の図面は、装置９の上面図を描写している。
【００１８】
携帯機器１０は、装置９の上に表示されることが意図される様々なマルチメディアデータ（例えば、音声、ビデオ、文字、図形等）のためのデータ記憶装置（図示せず）を含むあらゆる機器（例えば、携帯電話、携帯端末、カムコーダ、カメラ、ゲームコンソール等）に対応し得る。本実施例では、本発明に従ったシステム１のお陰で、携帯機器１０が装置９に接続されるときに携帯機器１０に記憶される音声データを表示するために、装置は一対のスピーカ（図示せず）に接続される音響システムに対応し得る。この目的を達成するために、システム１は装置９の頂部表面１１の上に取り付けられる。図２は、クレードル５の第１のクレードル位置Ｐ１にあるシステム１を例示している。この第１のクレードル位置Ｐ１において、携帯機器１０は、支持素子として作用する第２の部分８にもたれる。ベース部分３によって形成される平面領域４は、頂部表面１１と平行であるか、或いは、頂部表面１１と同じ平面内にある。
【００１９】
図３は、本発明に従ったシステム１の一部の素子の分解図を描写している。非限定的な実施例として与えられる図３において、クレードル５は、好ましくはＬ形状を形成するよう互いに協働し合う２つの素子５Ａ及び５Ｂによって形成されている。コネクタ７は、コネクタ７の電気接続を装置９内に配置される処理装置（図示せず）に伝えるために、プリント回路板１２に電気的に取り付けられ、携帯機器に記憶させられるマルチメディアデータの受取り及び表示を担う。第１の部分６及び第２の部分８は９０度〜１２０度の範囲内の角度を形成し、携帯機器がクレードル５内に接続されるときに、第２の部分８による携帯機器の安定的な支持を可能にするのが有利である。
【００２０】
コネクタカバー１３がコネクタ７の周りに固定され、携帯機器の接続中のコネクタ７の十分な剛性を保証するのが有利である。クレードル５は、ベース部分３に形成される中空領域１４内の位置を占めることが意図される。クレードル５の長手孔１６を貫通し且つ中空領域１４の内側に作製される２つの孔１８内に更に延びる軸１５のお陰で（１つの孔だけが示されており、第２の孔は反対側に配置される）、第１のクレードル位置Ｐ１と第２のクレードル位置Ｐ２との間のクレードル５の回転が保証される。
【００２１】
有利には、第２の部分８にもたれるときに携帯機器の外側本体を損傷させる（例えば、引っ掻く）のを避けるために、第２の部分８は、携帯機器がコネクタ７内に接続されるときに携帯機器を支持するためのゴム製ダンパ１９を含む。
【００２２】
図４Ａ、図４Ｂ、図４Ｃ、図４Ｄ、図４Ｅ、図４Ｆは、それぞれ０度、２５度、５０度、８０度、８５度、９０度であるクレードル５の異なる動作角度に従った、本発明に従ったシステム１の断面図を描写している。それらの角度は、第２の部分８によって定められる平面と平面領域４との間で計算される。
【００２３】
本発明に従ったシステムは、クレードル５を第２のクレードル位置Ｐ２から第１のクレードル位置Ｐ１まで回転させるバネ２１を更に含むのが有利である。クレードル５が第１のクレードル位置Ｐ１にあるとき、バネ２１は軸１５の周りに力Ｆ１を創成し、力Ｆ１は第２の部分８を平面領域４と同じ平面内に維持させる。使用者がクレードル５を方向Ｄ３に回転させ始めると、バネ２１は軸１５の周りに力Ｆ２を創成し、力Ｆ２は、クレードル５に対する使用者の如何なる作用をも必要とせずに、クレードル５の自動回転を開始させる。
【００２４】
バネ２１は、５Ｋｇｆの力を創成し得る捩りバネであるのが有利である。
【００２５】
バネ２１の第１の端部は、回転可能な連絡部分を介してベース部分３の固着地点Ａ１に取り付けられるのに対し、バネ２１の第２の端部は、回転可能な連絡部分を介してクレードル５の一部の脚部１７内に配置される固着地点Ａ１に取り付けられる。バネ２１のような２つのバネを使用し、各バネをクレードル５の各側に位置付け得ることに留意のこと。
【００２６】
本発明に従ったシステムは、ベース部分３に配置されるラッチ機構２０を更に含み、ラッチ機構２０は、クレードル５を第１のクレードル位置Ｐ１に保持するために、第１の部分６に配置される係止システム２６と協働するよう構成されるのが有利である。クレードル５を第１のクレードル位置Ｐ１内に保持するバネ２１の力だけを使用するのと比べると、携帯機器がコネクタ７内に接続されるとき、これはより多くの頑健性（ロバストネス）をクレードルにもたらすので、これは有利である。
【００２７】
ラッチ機構２０は、第１のラッチ位置ＰＯＳ１と、第２のラッチ位置ＰＯＳ２とを取るよう構成される。図４Ａ及び図４Ｆは、ラッチ機構２０が第１のラッチ位置ＰＯＳ１にあることを示しているのに対し、図４Ｂ、図４Ｃ、図４Ｄ、及び図４Ｅは、ラッチ機構２０が第２のラッチ位置ＰＯＳ２にあることを示している。
【００２８】
ラッチ機構２０は、ベース部分４の空洞２２内に滑り込むよう構成される。ラッチ機構２０は、方向１に沿う力を創成するよう空洞２２内に配置される戻りバネ２３も含み、その結果、ボタンは空洞の背壁２４から所与の距離にある最終位置に到達する。
【００２９】
図４Ａに例示するように、ボタン２５を介してラッチ機構２０に対する外力が生成されないとき、ラッチ機構２０は第１のラッチ位置ＰＯＳ１にある。
【００３０】
図４Ｂに例示するように、方向Ｄ２に沿ってボタン２５を介してラッチ機構２０に対する外力が生成されるとき、この外力は戻りバネ２３の力に反作用するので、ボタン２５は壁２４に触れるまで空洞２２内に引き戻され、ラッチ機構は第２のラッチ位置ＰＯＳ２に達する。
【００３１】
クレードル５の回転中、使用者は、クレードル５が第１のクレードル位置Ｐ１に達するまでラッチ機構２０に対する方向Ｄ２に沿う力を有利に創成し、次に、方向Ｄ２に沿う力を創成するのを止め、ボタン２５及び係止システム２６が協働することを可能にし、クレードル５を第１のクレードル位置Ｐ１内に閉じ込める。
【００３２】
図４Ｂに例示するように、係止システム２６は、例えば、ボタン２５の突出部分と協働することが意図される小さい空洞を含み得る。
【００３３】
クレードル５が第１のクレードル位置Ｐ１にあるとき、使用者は携帯機器をコネクタ７内に容易に接続し得る。何故ならば、コネクタ７は平面領域４に上向きに延びるからである。
【００３４】
クレードルの回転の振幅は、第１の部分６と第２の部分８との間の角度に対応し、よって、９０度〜１２０度の範囲内にあるのが好ましい。
【００３５】
請求項の発明を実施する当業者は、図面、本開示、及び付属の請求項の研究から開示の実施態様に対する他の変形を理解し且つ実施し得よう。請求項において、「含む」という用語は、他の素子又はステップを排除せず、単一形（不定冠詞）は複数を排除しない。単一のユニットが請求項中に引用される幾つかの品目の機能を充足し得る。特定の手段が相互に異なる従属項中に引用されているという単なる事実は、これらの手段の組み合わせを有利に使用し得ないことを示さない。請求項中の如何なる参照符号も請求項の範囲を限定するものと解釈されてはならない。
【図１Ａ】
2014515204.tif 000003
【図１Ｂ】
2014515204.tif 000004
【図２】
2014515204.tif 000005
【図３】
2014515204.tif 000006
【図４Ａ】
2014515204.tif 000007
【図４Ｂ】
2014515204.tif 000008
【図４Ｃ】
2014515204.tif 000009
【図４Ｄ】
2014515204.tif 000010
【図４Ｅ】
2014515204.tif 000011
【図４Ｆ】
2014515204.tif 000012
【手続補正書】
【提出日】平成25年9月19日(2013.9.19)
【手続補正１】
【補正対象書類名】特許請求の範囲
【補正対象項目名】全文
【補正方法】変更
【補正の内容】
【特許請求の範囲】
【請求項１】
携帯機器を接続するシステムであって、
−  平面領域を形成するベース部分と、
−  クレードルとを含み、該クレードルは、前記携帯機器を接続するために上向きに延びるコネクタを有する第１の部分と、前記携帯機器が前記コネクタ内に接続されるときに前記携帯機器を支持する第２の部分とを含み、前記クレードルは、
−  前記第１の部分が前記平面領域と同じ平面内に延在する第１のクレードル位置と、
−  前記第２の部分が前記平面領域と同じ平面内に延在する第２のクレードル位置とを取るために、回転可能な方法において前記ベース部分に取り付けられ、
前記第２のクレードル位置において、前記第２の部分は、前記コネクタを覆うカバーとして作用する、
システム。
【請求項２】
前記ベース部分は、中空領域を含み、前記クレードルは、前記第２のクレードル位置において前記中空領域内に位置付けられる、請求項１に記載のシステム。
【請求項３】
前記クレードルを前記第２のクレードル位置から前記第１のクレードル位置まで回転させるバネを更に含む、請求項１に記載のシステム。
【請求項４】
前記バネは、捩りバネである、請求項３に記載のシステム。
【請求項５】
前記ベース部分に配置されるラッチ機構を更に含み、該ラッチ機構は、前記クレードルを前記第１のクレードル位置に保持するために、前記第１の部分に配置される係止システムと協働するよう構成される、請求項１に記載のシステム。
【請求項６】
前記第１の部分と前記第２の部分とは、９０度〜１２０度の範囲内の角度を形成する、請求項１に記載のシステム。
【請求項７】
前記第２の部分は、前記携帯機器が前記コネクタ内に接続されるときに前記携帯機器を支持するゴム製バンパを含む、請求項１に記載のシステム。
【請求項８】
携帯機器に記憶されるマルチメディアデータを表示する装置であって、当該装置は、前記携帯機器を当該装置に接続するために、請求項１乃至７のうちのいずれか１項に記載のシステムを含む、装置。
【国際調査報告】
2014515204.tif 000013
2014515204.tif 000014
2014515204.tif 000015